(57)【要約】【課題】濾材の劣化度を考慮して濾過システムの濾過性能を最大化すること。【解決手段】複数台の濾過手段１Ａ，１Ｂと、各濾過手段１Ａ，１Ｂへの通水を選択して濾過処理を行う制御手段７とを備える濾過システムであって、各濾過手段１Ａ，１Ｂの濾材の劣化度を判定するためのデータを検出する検出手段２１，２３，２５を備え、制御手段７は、検出手段２１，２３，２５の検出データに基づき各濾過手段１Ａ，１Ｂの濾材の劣化度を判定し、この判定結果に基づき前記濾過手段１Ａ，１Ｂの間で濾材の劣化度を比較して、濾材の劣化度が小さい方の濾過手段１Ａ，１Ｂへの通水を優先して行う。【選択図】図１
2010184232.tif 000002
【特許請求の範囲】
【請求項１】
原水中に含まれる不純物を濾材によって除去する複数台の濾過手段と、前記各濾過手段への通水を選択して濾過処理を行う制御手段とを備える濾過システムであって、
前記各濾過手段の濾材の劣化度を判定するためのデータを検出する検出手段を備え、
前記制御手段は、前記検出手段の検出データに基づき前記各濾過手段の濾材の劣化度を判定し、この判定結果に基づき前記濾過手段の間で濾材の劣化度を比較して、濾材の劣化度が小さい方の濾過手段への通水を優先して行うことを特徴とする濾過システム。
【請求項２】
前記各濾過手段の再生を行う再生手段を備え、
前記制御手段は、ある濾過手段の再生工程を行うとともに、他の濾過手段にて通水工程を行うように通水を切り換え、
ある濾過手段の再生工程後の通水工程時における前記検出データに基づき判定された当該濾過手段の濾材の劣化度と他の濾過手段の濾材の劣化度とを比較し、ある濾過手段の濾材の劣化度が他の濾過手段の濾材の劣化度より大きいとき、他の濾過手段のうち最も濾材の劣化度の小さい濾過手段へ通水を切り換えるとともに、ある濾過手段の濾材の劣化度が他の濾過手段の濾材の劣化度より小さいとき、当該濾過手段の通水を継続する
ことを特徴とする請求項１に記載の濾過システム。
【請求項３】
前記制御手段は、ある濾過手段の再生工程終了後の通水工程初期における前記検出データに基づき当該濾過手段の濾材の劣化度を判定する
ことを特徴とする請求項２に記載の濾過システム。
【請求項４】
前記制御手段は、前記濾過手段の濾材の劣化度が所定値を超えると、当該濾過手段への通水を停止することを特徴とする請求項１〜３のいずれか１項に記載の濾過システム。
【発明の詳細な説明】
【技術分野】
【０００１】
この発明は、原水中に含まれる非溶解物などの不純物を濾材によって除去する濾過システムに関する。
【背景技術】
【０００２】
原水ラインと処理水ラインとの間に接続され、原水中に含まれる不純物を濾材によって除去する複数台の濾過手段と、前記各濾過手段への通水を切り換えて濾過処理を行う制御手段とを備える濾過システムは、特許文献１にて知られている。特許文献１の濾過システムは、各濾過手段が目詰まりを生ずると、他の濾過手段に通水を切り換えるように構成している。
【０００３】
しかしながら、この濾過システムにおいては、目詰まり，すなわち濾材で不純物を捕捉できる量を超えたことによる性能低下（再生をすることである程度回復する）により、通水を切り換えるものであって、通水や再生の繰り返しによる、濾材の劣化に起因する性能低下（再生しても回復しない性能低下）により、通水の切り換えを行っていない。その結果、濾材の劣化度を考慮して濾過性能を最大化した濾過処理ができていなかった。
【先行技術文献】
【特許文献】
【０００４】
【特許文献１】特開２００４−２６１６９２号公報
【発明の概要】
【発明が解決しようとする課題】
【０００５】
この発明が解決しようとする課題は、濾材の劣化度を考慮して濾過システムの濾過性能を最大化することである。
【課題を解決するための手段】
【０００６】
この発明は、前記課題を解決するためになされたもので、請求項１に記載の発明は、原水中に含まれる不純物を濾材によって除去する複数台の濾過手段と、前記各濾過手段への通水を選択して濾過処理を行う制御手段とを備える濾過システムであって、前記各濾過手段の濾材の劣化度を判定するためのデータを検出する検出手段を備え、前記制御手段は、前記検出手段の検出データに基づき前記各濾過手段の濾材の劣化度を判定し、この判定結果に基づき前記濾過手段の間で濾材の劣化度を比較して、濾材の劣化度が小さい方の濾過手段への通水を優先して行うことを特徴とする。
【０００７】
請求項１に記載の発明によれば、濾材の劣化度が小さい濾過手段を優先的に使用して濾過処理を行うので、濾材の劣化度を考慮して濾過システム全体としての濾過性能を最大化できるという効果を奏する。
【０００８】
請求項２に記載の発明は、請求項１において、前記各濾過手段の再生を行う再生手段を備え、前記制御手段は、ある濾過手段の再生工程を行うとともに、他の濾過手段にて通水工程を行うように通水を切り換え、ある濾過手段の再生工程後の通水工程時における前記検出データに基づき判定された当該濾過手段の濾材の劣化度と他の濾過手段の濾材の劣化度とを比較し、ある濾過手段の濾材の劣化度が他の濾過手段の濾材の劣化度より大きいとき、他の濾過手段のうち最も濾材の劣化度の小さい濾過手段へ通水を切り換えるとともに、ある濾過手段の濾材の劣化度が他の濾過手段の濾材の劣化度より小さいとき、当該濾過手段の通水を継続することを特徴とする。
【０００９】
請求項２に記載の発明によれば、請求項１に記載の発明による効果に加えて、前記濾過手段の再生工程後の通水工程時に、濾材の劣化度を比較して、濾材の劣化度の小さい濾過手段を優先して使用するようにしているので、単に再生工程終了の濾過手段を優先して使用するものと比較して、濾過システム全体の濾過性能をより高いものとすることができるという効果を奏する。
【００１０】
請求項３に記載の発明は、請求項２において、前記制御手段は、ある濾過手段の再生工程終了後の通水工程初期における前記検出データに基づき当該濾過手段の濾材の劣化度を判定することを特徴とする。
【００１１】
請求項３に記載の発明によれば、請求項２に記載の発明による効果に加えて、前記濾過手段の再生工程終了後の通水工程初期の検出データに基づき濾材の劣化度を判定するようにしているので、濾材での捕捉量を超えたことによる性能低下と、濾材の劣化による性能低下とを容易に区別でき、比較的正確に濾材の劣化度を判定でき、濾材の劣化度の小さい濾過手段への切り換えを確実に行うことができるという効果を奏する。
【００１２】
さらに、請求項４に記載の発明は、請求項１〜３において、前記制御手段は、前記濾過手段の濾材の劣化度が所定値を超えると、当該濾過手段への通水を停止することを特徴とする。
【００１３】
請求項４に記載の発明によれば、請求項１〜３に記載の発明による効果に加えて、濾過水質が低下した処理水の供給を防止することができるという効果を奏する。
【発明の効果】
【００１４】
この発明によれば、濾材の劣化度を考慮して濾過システム全体としての濾過性能を最大化できるという効果を奏する。
【図面の簡単な説明】
【００１５】
【図１】この発明に係る濾過システムの実施例１の構成を示す概略的な説明図である。
【図２】同実施例１の制御手順の要部を説明するフローチャート図である。
【図３】同実施例１の制御手順の他の要部を説明するフローチャート図である。
【図４】この発明に係る濾過システムの実施例２の構成を示す概略的な説明図である。
【図５】この発明に係る濾過システムの実施例３の構成を示す概略的な説明図である。
【図６】この発明の実施例４の制御手順の要部を説明するフローチャート図である。
【図７】同実施例４の制御手順の他の要部を説明するフローチャート図である。
【発明を実施するための形態】
【００１６】
つぎに、この発明の濾過システムの実施の形態について説明する。この発明の実施の形態は、原水中に含まれる不純物を濾材によって除去する複数台の濾過手段を備える濾過システムに好適に実施される。
【００１７】
この実施の形態を具体的に説明する。この実施の形態は、原水ラインと処理水ラインとの間に接続され、原水中に含まれる不純物を濾材によって除去する複数の濾過手段を備えている。そして、前記各濾過手段へ通水を選択して濾過処理を行う制御手段と、前記各濾過手段の濾材の劣化度を判定するためのデータを検出する検出手段とを備えている。前記制御手段は、前記各濾過手段の濾材の劣化度を判定する劣化度判定機能と、前記劣化度
判定機能による前記各濾過手段の濾材の劣化度を比較する比較機能と、濾材の劣化度が小さい方の濾過手段への通水を選択する選択機能とを有する。ここで、「判定する」は、「検出する」と言い換えることができる。
【００１８】
この発明の実施の形態においては、前記制御手段は、前記検出手段により所定時期に得られたデータに基づき、前記各濾過手段の濾材の劣化度を判定し、前記濾過手段の間で判定した濾材の劣化度を比較して、濾材の劣化度が小さい方の濾過手段への通水を選択する。こうして、濾材の劣化度が小さい方の前記濾過手段を優先的に使用するので、濾材の劣化度を比較することなく、通水を選択するシステムと比較して、濾過システム全体の濾過性能が最大化される。
【００１９】
前記所定時期とは、濾材の劣化度を判定するに適した時期であって、通水工程と再生工程とを選択して行う濾過手段においては、好ましくは、前記各濾過手段の再生工程終了後の通水工程初期であり、さらに好ましくは、前記通水工程開始後処理水水質が安定した時点から所定時間である。通水工程が進行し、再生工程が近くなればなるほど、濾材での捕捉量を超えたことによる性能低下が濾材の劣化による性能低下に対して大きくなり、濾材の劣化による性能低下の判別が困難となる。前記のように好ましい時期に得られたデータに基づき劣化度を判定すれば、濾材での捕捉量を超えたことによる性能低下と、濾材の劣化による性能低下を容易に区別して判定することができる。
【００２０】
ここで、この発明の実施の形態の濾過システムを構成する構成要素を説明する。前記各濾過手段は、原水ラインと処理水ラインとの間に接続され、原水中に含まれる不純物を濾材によって除去する機能を有する。この濾過手段は、好ましくは、非溶解物などの不純物として原水中に含まれる鉄分を主として除去する除鉄手段であり、前記濾過システムは、除鉄システムとして構成される。この濾過手段は、好ましくは、アンスラサイト，濾過砂などの濾材（図示省略）によって濾過を行う塔式の濾過部とこの濾過部に対して通水と再生とで流れを切り換えるコントロールバルブとを含んで構成される。そして、この濾過手段は、前記濾材にマンガンゼオライトなどを使用することで、除マンガン能力を備えていてもよい。
【００２１】
前記濾過手段は、前記濾材を逆浸透膜（ＲＯ膜）等の濾過膜を用いたものとすることができる。この場合、前記制御手段は、濾過膜の劣化度を判定する。
【００２２】
前記２以上の複数台の濾過手段は、好ましくは、互いに並列に接続されるが、直列に接続してもよい。直列に接続する場合は、複数の濾過手段の通水が任意に選択できるように流路を形成するとともに、流れを制御する弁を設ける。また、前記濾過手段は、互いに単位時間当たりの処理容量を同じものとするが、互いに異ならせてもよい。
【００２３】
この濾過システムにおいては、好ましくは、前記各濾過手段を再生する再生手段を備え、前記制御手段により、前記各濾過手段に原水を通水して濾過処理する通水工程と、前記各濾過手段の再生を行う再生工程とを行うように構成する。この構成においては、前記各濾過手段において、通水工程と再生工程とを同時に行うのではなく、切り換えて行うように構成される。この再生工程は、前記各濾過手段の性能が再生を必要とする値に低下したとき、または低下したと考えられるときに実行される。前記各濾過手段の性能が再生を必要とする状態を一般的には破過と称する。        
【００２４】
前記各濾過手段の性能が再生を必要とする値への低下は、水質検出手段によって濁度を検出し、前記制御手段により判定することができる。前記濾過手段が、除鉄を行うものである場合は、前記水質検出手段により、鉄濃度を検出するように構成することができる。また、前記「低下したと考えられるとき」は、前記各濾過手段の入口圧力と出口側圧力と
の差（差圧）により判定できる。また、前記「低下したと考えられるとき」は、予め実験により求めた設定通水時間を前記制御手段に内臓タイマ、または別のタイマにより計時することによっても判定することができる。
【００２５】
前記再生手段としては、前記各濾過手段の濾材を逆洗することによる周知の逆洗手段とすることができる。この逆洗は、処理水により行うが、原水を用いて行うことができる。
【００２６】
前記制御手段は、前記検出手段により得られたデータに基づき前記各濾過手段の濾材の劣化度を判定する劣化度判定機能（劣化度判定手段と称することができる。）と、前記劣化度判定手段により判定された前記濾過手段の濾材の劣化度同士を比較する比較機能（比較手段と称することができる。）と、濾材の劣化度が小さい方の濾過手段への通水を選択する選択機能（選択手段と称することができる。）とを有するものであれば、特定の構成のものに限定されない。これらの各機能（手段）は、前記制御手段に記憶した制御手順（プログラム）の一部により構成できる。
【００２７】
前記劣化度判定手段は、好ましくは、前記各濾過手段の濾材の劣化度を判定する（評価する）ためのデータを検出する検出手段により検出されるデータに基づき前記各濾過手段の濾材の劣化度を判定するように構成する。
【００２８】
前記検出手段は、好ましくは、つぎの第一〜第四検出手段のいずれかとする。前記第一検出手段は、前記各濾過手段により濾過された処理水の水質を前記データとして検出する。この第一検出手段としては、濁度センサとすることができる。そして、前記制御手段は、処理水水質を濁度とすると、所定通水時間に対する濁度により濾材の劣化度を判定する。この場合、濁度が大きいほど濾材の劣化度が大きいと判定する。
【００２９】
前記第二検出手段は、被処理水の水質および処理水の水質を前記データとして検出する。この第二検出手段としては、濁度センサとすることができる。そして、前記制御手段は、被処理水質および処理水水質を濁度とすると、所定通水時間に対する被処理水の濁度と処理水濁度との差、またはこれに基づく除去率（前記濁度の差を被処理水の濁度で除した値）を演算して、濾材の劣化度を判定する。この場合、前記濁度の差または除去率が小さいほど濾材の劣化度が大きいと判定する。
【００３０】
前記第一検出手段および前記第二検出手段は、前記濾過手段が、除鉄を行うものである場合、鉄濃度センサとすることができる。
【００３１】
前記第三検出手段は、前記各濾過手段の入口側（流入側）圧力と出口側（流出側）圧力との差圧を前記データとして検出する。この第三検出手段としては、差圧センサとすることができる。そして、前記制御手段は、所定通水時間に対する前記差圧により濾材の劣化度を判定する。この場合、前記差圧が大きいほど濾材の劣化度が大きいと判定する。
【００３２】
前記第四検出手段は、前記各濾過手段の再生工程とつぎの再生工程との間の濾過継続時間（通水継続時間）を前記データとして検出する。そして、前記制御手段は、前記濾過継続時間により濾材の劣化度を判定する。この場合、前記濾過継続時間が短いほど濾材の劣化度が大きいと判定する。
【００３３】
前記制御手段が濾材の劣化度判定のために用いるデータは、各濾過手段の最新（直近）のデータとするが、最新のデータを含む過去適数回のデータ平均とすることができる。
【００３４】
この発明は、前記実施の形態に限定されるものではなく、互いに並列に接続される濾過手段の通水台数を増減する濾過システムにも適用される。この濾過システムにおいても、
濾材の劣化度が小さい方の濾過手段への通水を優先して行うように構成する。
【００３５】
前記各検出手段は、好ましくは、システム構成を簡素化すべく、前記各濾過手段に共通の検出手段として設けるが、前記各濾過手段毎に前記各検出手段を設けることができる。
【実施例１】
【００３６】
つぎに、この発明の実施１について図面に基づいて詳細に説明する。図１は、同実施例１の構成を示す概略的な説明図であり、図２、３は、同実施例１の互いに異なる要部制御手順を説明するフローチャート図である。
【００３７】
＜実施例１の構成＞
この実施例１の濾過システムは、原水中に含まれる不純物を濾材によって除去する２台の互いに並列に接続される第一系統濾過手段１Ａ，第二系統濾過手段１Ｂと、これら濾過手段１Ａ，１Ｂを再生する再生手段２と、前記各濾過手段１Ａ，１Ｂへ濾過処理のために通水する通水工程と前記再生手段による再生工程を切り換える工程切換バルブ手段３と、前記濾過手段１Ａ，１Ｂにより処理された処理水を貯留する処理水タンク（処理水貯留部と称することができる。）６と、前記バルブ手段３，通水用の第一ポンプ４，再生用の第二ポンプ５等を制御する制御手段７とを主要部として備えている。前記各濾過手段１Ａ，１Ｂは、互いに並列に接続される同じ構成で、同じ処理容量／単位時間当たりとしている。
【００３８】
前記各濾過手段１Ａ，１Ｂは、それぞれ前記第一ポンプ４を備える第一原水ライン８から分岐した各第二原水ライン９Ａ，９Ｂと各第一処理水ライン１０Ａ，１０Ｂとの間に接続されている。前記第一処理水ライン１０Ａ、１０Ｂは、合流して第二処理水ライン１１に接続されている。
【００３９】
前記各濾過手段１Ａ，１Ｂは、それぞれ塔式の濾過部１２Ａ，１２Ｂとコントロールバルブ１３Ａ，１３Ｂとを備えている。前記各濾過部１２Ａ，１２Ｂは、原水中に含まれる鉄分を主として除去する除鉄機能に加えて除マンガン機能を持たせるべく、マンガンゼオライトとした濾材（図示省略）によって濾過を行うように構成されている。
【００４０】
前記各コントロールバルブ１３Ａ，１３Ｂは、前記各濾過部１２Ａ，１２Ｂにおける水の流れを通水工程とする通水位置と水の流れを再生工程とする再生位置とに切り換えるように構成され、それぞれ前記第二原水ライン９Ａ，９Ｂと、前記第一処理水ライン１０Ａ，１０Ｂと、排水ライン１４Ａ，１４Ｂが接続されている。
【００４１】
前記各第一処理水ライン１０Ａ，１０Ｂにはそれぞれ通水切り換え用の通水切換バルブ１５Ａ，１５Ｂを備えている。
【００４２】
前記処理水タンク６は、濾過処理された処理水を貯留するタンクであり、前記第二処理水ライン１１の反合流側端部が接続されるとともに、処理水利用設備（図示省略）へ処理水を供給する第三処理水ライン１６が接続されている。この第三処理水ライン１６には、処理水配給用のポンプ（図示省略）を設けている。また、前記処理水タンク６には、水位検出手段１７を備えている。
【００４３】
前記再生手段２は、前記各濾過手段１Ａ，１Ｂの濾材を切り換えて逆洗することによる逆洗手段として構成されている。この再生手段２は、前記処理水タンク６に接続され前記第二ポンプ５を備えた第一逆洗ライン１８と、前記第一逆洗ライン１８から分岐した第二逆洗ライン２０Ａ，２０Ｂと、前記コンロロールバルブ１３Ａ，１３Ｂと、前記排水ライン１４Ａ，１４Ｂとを含んで構成されている。
【００４４】
前記工程切換バルブ手段（以下、単に「バルブ手段」と称する。）３は、この実施例１では、前記各コントロールバルブ１３Ａ，１３Ｂと、前記各通水切換バルブ１５Ａ，１５Ｂとを含んで構成されている。なお、この実施例１では、前記各逆洗ライン２０Ａ，２０Ｂをそれぞれ前記コントロールバルブ１３Ａ，１３Ｂと接続して、この各コントロールバルブ１３Ａ，１３Ｂにより再生工程時の処理水の流れを切り換えるように構成しているが、前記各逆洗ライン２０Ａ，２０Ｂをそれぞれ前記第二原水ライン９Ａ，９Ｂと接続して、前記各逆洗ライン２０Ａ，２０Ｂに逆洗切換バルブ（図示省略）を設けて、この逆洗切換バルブの開閉により再生工程時の処理水の流れを切り換えるように構成することができる。この場合、前記各第二原水ライン９Ａ，９Ｂに処理水の流れを阻止するバルブ（図示省略）を設ける。
【００４５】
前記第一ポンプ４の下流側には、鉄分および懸濁物質の除去に使用する薬剤の薬注手段として、酸化剤添加手段および凝集剤添加手段（いずれも図示しないが、特開２００７−３３０８９９号公報に示されるものと同様の構成のものである。）が接続されている。この酸化剤添加手段および凝集剤添加手段は、前記各濾過手段１Ａ，１Ｂの通水工程時に作動される。
【００４６】
前記制御手段７は、マイクロプロセッサ，記憶手段等を含んで構成される。この制御手段７は、前記バルブ手段３を制御して流路を切り換えることにより、前記各濾過手段１Ａ，１Ｂのいずれか一方に原水を通水して濾過処理する通水工程と、前記再生手段２を制御して流路を切り換えることにより、前記各濾過手段１Ａ，１Ｂのうち非通水工程側の前記各濾過手段１Ａ，１Ｂの逆洗による再生工程とを行うように構成されている。        
【００４７】
この実施例１における前記制御手段７による通水工程と再生工程との制御は、予め記憶した図２，図３に示す制御手順（プログラム）により実行される。
【００４８】
この制御手順の特徴を説明する。前記再生工程は、前記各濾過手段１Ａ，１Ｂの性能が再生を必要とする値に低下したときに実行される。すなわち、前記水質検出手段２１の検出値が所定値以上であるとき、前記再生動作が必要であると判断する。
【００４９】
また、この制御手順は、前記各濾過手段１Ａ，１Ｂの濾材の劣化度を所定時期に判定する劣化度判定機能と、この劣化度判定機能により得られた前記濾過手段１Ａ，１Ｂの濾材の劣化度同士を比較する比較機能と、濾材の劣化度が小さい方の濾過手段１Ａ，１Ｂへの通水を選択する選択機能とを有している。以下、この実施例１では、「選択」を「切り換え」と称する。
【００５０】
前記劣化度判定機能は、前記各濾過手段１Ａ，１Ｂによって濾過処理された処理水の濁度を検出する第一水質検出手段（本願発明の検出手段に相当する。）２１により検出される濁度に基づき前記各濾過手段１Ａ，１Ｂの濾材の劣化度を判定するように構成している。この濾材の劣化度は、所定通水時間（例えば、１時間半程度）に対する水質により判定するように構成している。この第一水質検出手段は、前記各濾過手段１Ａ，１Ｂに共通の検出手段として、前記第二処理水ライン１１に設けている。
【００５１】
そして、前記制御手段７が濾材の劣化度判定のために用いるデータは、再生工程終了後の通水工程初期に（例えば、通水開始から３０分経過してから）前記所定通水時間に前記第一水質検出手段２１により検出されたデータとしている。
【００５２】
前記第一水質検出手段２１は、第一試料水導入ライン２２を介して前記第二処理水ライン１１と接続されて、処理水の濁度を検出するものであり、たとえば特開２００７−１５
５３７２号に記載された光学計測装置を用いる。
【００５３】
＜実施例１の動作＞
ここで、この実施例１の動作を説明する。まず、実施例１の濾過システムの基本的な動作を説明する。
【００５４】
（通水工程の動作）
予め設定された時間になったとき、または前記水位検出手段１７により、前記処理水タンク６内の水位が所定の給水開始水位以下となったことが検出されたとき、前記制御手段７によって、通水工程を開始する。通水工程は、再生工程が終了している系統の濾過手段に切り換えることにより行う。
【００５５】
前記第一系統濾過手段１Ａにて通水を行うには、前記制御手段７により、前記コントロールバルブ１３Ａを通水位置へ切り換え、前記通水切換バルブ１５Ａを開き、前記通水切換バルブ１５Ｂを閉じ、前記第二ポンプ５を停止して、前記第一ポンプ４を駆動する。すると、前記濾過手段１Ａへ原水を供給し通水が開始される。そして、前記酸化剤添加手段により生じた水酸化第二鉄および前記凝集剤添加手段により生じた凝集物を含む原水が、前記濾過部手段１Ａへ流入すると、前記濾過部１２Ａの濾材（図示省略）によって水酸化第二鉄および凝集物が捕捉されて除去され、この水が第一前記処理水ライン１０Ａへ流出する。前記第一処理水ライン１０Ａへ流出した処理水は、前記処理水タンク６に貯留される。
【００５６】
前記第二系統濾過手段１Ｂの通水工程は、前記コントロールバルブ１３Ｂを通水位置へ切り換え、前記通水切換バルブ１５Ｂを開き、前記通水切換バルブ１５Ａを閉じ、前記第二ポンプ５を停止して、前記第一ポンプ４を駆動することにより、前記第一系統濾過手段１Ａと同様に行われる。
【００５７】
（再生工程の動作）
この通水工程時、前記水質検出手段２１によって所定の検出サイクル（たとえば、数時間ごと）で処理水の濁度の検出を行う。前記制御手段７は、前記水質検出手段２１の検出値に基づいて、前記水質検出手段２１の検出値が所定値以上となると、前記再生動作が必要であると判断する。そして、前記制御手段７は、通水工程を行っていない方の前記各濾過手段１Ａ，１Ｂに通水を切り換えて前記通水動作を行わせ、通水工程を行っている方の前記各濾過手段１Ａ，１Ｂにおいて再生工程を開始する。
【００５８】
前記第一系統濾過手段１Ａの再生は、つぎのようにして行われる。前記制御手段７により、前記コントロールバルブ１３Ａを再生位置へ切り換え、前記通水切換バルブ１５Ａ，１５Ｂを閉じ、前記第一ポンプ４を停止して、前記第二ポンプ５を駆動する。これにより、前記第二ポンプ５によって前記処理水タンク６内の処理水が前記濾過手段１Ａの上流側へ供給され、公知の逆洗による前記濾過手段１Ａ再生が行われ、排水は前記排水ライン１４Ａを通して排出される。
【００５９】
前記第二系統濾過手段１Ｂの再生は、つぎのようにして行われる。前記制御手段７により、前記コントロールバルブ１３Ｂを再生位置へ切り換え、前記通水切換バルブ１５Ａ，１５Ｂを閉じ、前記第一ポンプ４を停止して、前記第二ポンプ５を駆動することにより、前記第一系統濾過手段１Ａの再生動作と同様に行われる。
【００６０】
（濾材の劣化度の小さい濾過手段を優先して通水する制御）
つぎに、この発明の特徴とする濾材の劣化度の小さい濾過手段を優先して通水工程を切り換える制御について、図２、図３に基づき説明する。
【００６１】
図２を参照して、通水工程指示によりＳ１にて第一系統濾過手段１Ａの通水工程が行われているとする。Ｓ２へ移行して、前述の再生工程が必要かどうかの判定を行い、再生工程が必要と判定されると、Ｓ３へ移行して、前記第一系統濾過手段１Ａの再生工程を開始すると同時に、前記第二系統濾過手段１Ｂへ通水工程の指示を出す。
【００６２】
この第一系統濾過手段１Ａの再生工程が終了すると、Ｓ４へ移行して、運転待機（通水待機と称することができる。）に入る。そして、Ｓ５にて、通水工程開始の指示があるかどうかを判定する。前記第二系統濾過手段１Ｂの再生工程要の判定により、前記第一系統濾過手段１Ａへ通水工程の指示が出されると、Ｓ５にてＹＥＳが判定され、Ｓ６にて通水工程を開始する。
【００６３】
この通水工程開始直後にＳ７の処理が行われる。Ｓ７では、前記第一系統濾過手段１Ａの濾材の劣化度判定と、この濾材の劣化度判定により得られた第一系統濾過手段１Ａの第一劣化度ＱＡと前記予め記憶している前記第二系統濾過手段１Ｂの第二劣化度ＱＢとの比較処理が行われる。
【００６４】
第一系統濾過手段１Ａの第一劣化度ＱＡは、つぎのようにして求められる。まず、所定時期となる，すなわち再生工程終了後の開始から通水工程所定時間（３０分）が経過すると、所定通水時間（１時間半）において前記第一水質検出手段２１により検出された濁度値を平均する。そして、その平均値を前記所定通水時間の通水量で除した値を第一濾過手段性能値ＱＡとし、図示省略の記憶手段に記憶する。
【００６５】
前記第二系統濾過手段１Ｂにおける前記濾材の劣化度判定および比較処理は、前記第二系統濾過手段１Ｂにおいても前記第一系統濾過手段１Ａと同様に行われるので、その説明を省略する。
【００６６】
Ｓ７において、ＱＡ≦ＱＢのＹＥＳが判定されると、前記第一系統濾過手段１Ａの通水工程を継続する。ＮＯが判定されると、Ｓ９へ移行して濾材の劣化度が小さい側の前記第二系統濾過手段１Ｂへ通水工程指示を出すとともに、濾材の劣化度が大きい側の前記第一系統濾過手段１Ａに対しては、Ｓ４の待機工程への移行を指示する。
【００６７】
前記第二系統濾過手段１Ｂにおいても図３に示す制御手順により、前記第一系統濾過手段１Ａと同様に通水工程，再生工程の制御が行われる。図３のＳ１１〜Ｓ１９は、それぞれ図２のＳ１〜Ｓ９に対応して、同じ処理であるので、その説明を省略する。
【００６８】
この実施例１においては、前記制御手段７は、前記各濾過手段１Ａ，１Ｂの濾材の劣化度を判定し、判定した前記濾過手段１Ａ，１Ｂの間で濾材の劣化度を比較して、濾材の劣化度が小さい方の濾過手段１Ａ，１Ｂへ通水を切り換える。その結果、濾材の劣化度が小さく濾過性能が高い前記濾過手段１Ａ，１Ｂを優先的に使用することになるので、濾材の劣化度を比較することなく、通水を切り換える従来システムと比較して、濾過システム全体の濾過性能を最大化することができる。
【００６９】
また、再生工程後の通水工程時に、濾材の劣化度を比較して、濾材の劣化度が小さい濾過手段を優先して使用するようにしているので、単に再生工程終了の濾過手段を優先して使用するものと比較して、濾過システム全体の濾過性能より高いものとすることができる。
【００７０】
さらに、再生工程終了後の通水工程初期に、前記第一水質検出手段２１の再生工程終了
後の通水工程初期に得た検出値に基づき濾材の劣化度を判定し、濾材の劣化度を比較するようにしているので、比較的正確に濾材の劣化度を判定でき、濾材の劣化度が小さい濾過性能の高い濾過手段への切り換えを確実に行うことができる。
【実施例２】
【００７１】
この発明は、前記実施例１に限定されるものではなく、つぎの実施例２を含むものである。この実施例２は、前記実施例１の第一水質検出手段２１を第二水質検出手段２３に代えたもので、その他の構成は、前記実施例１と同様であり、前記実施例１の図２，３，に示す制御手順で制御される。以下に、同実施例２を図４に基づき説明する。以下の説明では、前記実施例１と異なる構成を中心に説明し、前記実施例１と同じ構成についてはその説明を省略する。
【００７２】
前記第二水質検出手段２３は、前記第一試料水導入ライン２２を介して前記第二処理水ライン１１と接続され、第三試料水導入ライン２４を介して前記第一原水ライン８と接続されて、被処理水の水質および処理水の水質を濾材の劣化度を判定のための前記データとして検出する。この第二水質検出手段２３としては、濁度センサとしている。その他の構成は、前記実施例１と同様であるので、その説明を省略する。
【００７３】
この実施例２においては、前記制御手段７は、再生工程終了後の通水工程初期における所定通水時間に対する被処理水の濁度と処理水濁度との差を演算（前記差を通水時間で割る）して、濾材の劣化度を判定する。この場合、前記濁度の差が小さいほど濾材の劣化度が大きいと判定する。この実施例２のその他の動作は、前記実施例１と同様であるので、その説明を省略する。
【実施例３】
【００７４】
この発明は、前記実施例１，２に限定されるものではなく、つぎの実施例３においても実施される。この実施例３は、この発明の検出手段として、前記実施例１の第一水質検出手段２１を差圧検出手段２５に代えたもので、その他の構成は、前記実施例１と同様であり、前記実施例１の図２，３，に示す制御手順で制御される。以下に、同実施例３を図５に基づき説明する。以下の説明では、前記実施例１と異なる構成を中心に説明し、前記実施例１と同じ構成についてはその説明を省略する。
【００７５】
前記差圧検出手段２５は、前記第三試料水導入ライン２６を介して前記第二処理水ライン１１と接続され、第四試料水導入ライン２７を介して前記第一原水ライン８と接続されて、前記各濾過手段１Ａ，１Ｂの入口側（流入側）圧力と出口側（流出側）圧力との差圧を前記データとして検出する。その他の構成は、前記実施例１と同様であるので、その説明を省略する。
【００７６】
この実施例３においては、前記制御手段７は、再生工程終了後の通水工程初期における所定通水時間に対する前記差圧に基づき、濾材の劣化度を判定する。この場合、前記差圧が大きいほど濾材の劣化度が大きいと判定する。この実施例３のその他の動作は、前記実施例１と同様であるので、その説明を省略する。
【実施例４】
【００７７】
この発明は、図６および図７の処理手順を実行する実施例４を含む。
この処理手順は、前記実施例１〜３の濾過システムにおいて実行され、前記濾過手段の濾材の劣化度が所定値を超えると、当該濾過手段への通水を停止することを特徴とするものである。
【００７８】
以下に、この実施例４について、前記実施例１と異なる部分を中心に説明し、同じ構成
は、同じ符号を付して省略する。
【００７９】
図６において、図２と異なるのは、Ｓ６とＳ７との間に、前記濾過手段１２Ａの濾材の第一劣化度ＱＡが所定値以上かどうかを判定する処理Ｓ２０を加えた点である。このＳ２０で、所定値以上が判定されると、Ｓ９へ移行して、前記濾過手段１２Ａの通水を停止して待機させるとともに、前記濾過手段１２Ｂの通水工程を開始する。Ｓ２０で、ＮＯが判定されると、処理がＳ７へ移行する。
【００８０】
また、図７において、図３と異なるのは、Ｓ１６とＳ１７との間に、前記濾過手段１２Ｂの濾材の第二劣化度ＱＢが所定値以上かどうかを判定する処理Ｓ２１を加えた点である。このＳ２１で、所定値以上が判定されると、Ｓ１９へ移行して、前記濾過手段１２Ｂの通水を停止して待機させるとともに、前記濾過手段１２Ａの通水工程を開始する。Ｓ２１で、ＮＯが判定されると、処理がＳ１７へ移行する。
【００８１】
この実施例５によれば、処理水の水質低下を抑制することができ、所定値以上の濾過水質の処理水を供給することができる。
【００８２】
さらに、この発明は、前記実施例１〜３では、処理水を用いた逆洗により濾材の再生を行うように構成しているが、これに限定されるものではなく、原水（被処理水）を用いた逆洗により再生を行うように構成することができる。
【符号の説明】
【００８３】
１Ａ，１Ｂ  濾過手段
２  再生手段
７  制御手段
２１  第一水質検出手段
２３  第二水質検出手段
２５  差圧検出手段
【図１】
2010184232.tif 000003
【図４】
2010184232.tif 000004
【図５】
2010184232.tif 000005
【図２】
2010184232.tif 000006
【図３】
2010184232.tif 000007
【図６】
2010184232.tif 000008
【図７】
2010184232.tif 000009